(57)【要約】【課題】複数のユーザ（医師）の中の一人ひとりに識別情報付入力ペンを持たせることにより、それぞれの医師が記入した情報（カルテ等）を容易に判別できるようにする。【解決手段】複数の医師一人一人が保持する入力ペンのそれぞれに識別情報を割り当て、この入力ペンからの入力情報を識別情報付きで取得する。そして、入力ペンの識別情報が入力ペンの所有者の識別情報と対応するものであるかどうかを判断し、入力ペンによる入力情報を入力ペンの識別情報と関連付けて記録する。そして、ある入力ペンによる情報入力がそのペンを所有する所有者の識別情報と一致する場合にのみ、入力ペンによって入力される入力情報と、当該入力情報の発生時刻とを、入力操作ごとに格納するようにする。【選択図】図３
2008305428.tif 000002
【特許請求の範囲】
【請求項１】
固有の識別情報が割り当てられている入力ペンと、
前記入力ペンの識別情報を電子データとして取得するとともに、前記入力ペンの操作による入力を受け付ける入力受付手段と、
前記入力ペンの識別情報と前記入力ペンのユーザ識別情報を対応させて記憶する関係情報記憶手段と、
前記入力受付手段が取得した、前記入力ペンの識別情報が前記関係情報記憶手段に記憶されている前記入力ペンのユーザ識別情報と対応するものであるかどうかを確認する前記入力ペンの識別情報確認手段と、
前記入力受付手段が受け付ける前記入力ペンによる入力情報を前記入力ペンの識別情報と関連付けて記録する入力情報記憶手段と、
前記入力ペンの入力操作によって入力された前記入力情報を、前記識別情報確認手段による結果に基づいて、前記関係情報記憶手段に記憶された前記入力ペンの識別情報に対応したユーザ識別情報を伴って表示する表示手段と、
を備えてなる、医療情報管理システム。
【請求項２】
固有の識別情報が割り当てられている入力ペンと、
前記入力ペンの識別情報を電子データとして取得するとともに、前記入力ペンの操作による入力を受け付ける入力受付手段と、
前記入力ペンの識別情報と前記入力ペンのユーザ識別情報を対応させて記憶する関係情報記憶手段と、
前記入力受付手段が取得した、前記入力ペンの識別情報が前記関係情報記憶手段に記憶されている前記入力ペンのユーザ識別情報と対応するものであるかどうかを確認する前記入力ペンの識別情報確認手段と、
前記入力受付手段が受け付ける前記入力ペンによる入力情報を前記入力ペンの識別情報と関連付けて記録する入力情報記憶手段と、
前記入力ペンの操作による入力情報が発生した時刻の情報を前記入力ペンの識別情報に関連づけて格納する入力操作情報記憶手段と、
前記入力ペンの入力操作によって入力された前記入力情報を、前記識別情報確認手段による結果に基づいて、前記関係情報記憶手段に記憶された前記入力ペンの識別情報に対応したユーザ識別情報および前記入力操作情報記憶手段に記憶された時刻の情報を伴って表示する表示手段と、
を備えてなる、医療情報管理システム。
【請求項３】
前記入力ペンによって入力される情報は、電子カルテであることを特徴とする、請求項１または２に記載の医療情報管理システム。
【請求項４】
前記入力ペンは電磁誘導タブレット用の入力ペンであり、前記入力受付手段は電磁誘導タブレットであるとともに前記表示手段として一体化されて入力が可能な表示面としても機能する、請求項１又は２に記載の医療情報管理システム。
【請求項５】
前記表示手段で表示される情報は、前記入力ペンに割り当てられた識別情報の違いに基づいて異なる色あるいは異なる表示枠で表示される、請求項１〜４のいずれかに記載の医療情報管理システム。
【請求項６】
複数の入力ペンのそれぞれに識別情報を割り当てるステップと、
前記入力ペンの識別情報を電子データとして取得するとともに、前記入力ペンの操作による入力を受け付けるステップと、
前記入力ペンの識別情報と前記入力ペンのユーザ識別情報との関係を関連付けて記憶するステップと、
前記入力ペンの操作で受け付けた前記入力ペンの識別情報が前記入力ペンのユーザ識別情報と対応するものであるかどうかを確認する識別情報の確認ステップと、
前記入力ペンの入力操作で受け付けた前記入力ペンによる入力情報を前記入力ペンの識別情報と関連付けて記録するステップと、
前記入力ペンの入力操作によって入力された前記入力情報を、前記入力ペンの操作で受け付けた前記入力ペンの識別情報が前記入力ペンのユーザ識別情報と対応するものであると確認された際には、前記入力ペンの識別情報に対応したユーザ識別情報を伴って表示する表示ステップと、
を含む医療情報管理方法。
【請求項７】
複数の入力ペンのそれぞれに識別情報を割り当てるステップと、
前記入力ペンの識別情報を電子データとして取得するとともに、前記入力ペンの操作による入力を受け付けるステップと、
前記入力ペンの識別情報と前記入力ペンのユーザ識別情報との関係を関連付けて記憶するステップと、
前記入力ペンの操作で受け付けた前記入力ペンの識別情報が前記入力ペンのユーザ識別情報と対応するものであるかどうかを確認する識別情報の確認ステップと、
前記入力ペンの入力操作で受け付けた前記入力ペンによる入力情報を前記入力ペンの識別情報と関連付けて記録するステップと、
前記入力ペンの操作による入力情報が発生した時刻の情報を前記入力ペンの識別情報に関連づけて格納するステップと、
前記入力ペンの入力操作によって入力された前記入力情報を、前記入力ペンの操作で受け付けた前記入力ペンの識別情報が前記入力ペンのユーザ識別情報と対応するものであると確認された際には、前記入力ペンの入力操作によって入力された前記入力情報を、前記入力ペンの識別情報に対応したユーザ識別情報および前記時刻の情報を伴って表示する表示ステップと、
を含む医療情報管理方法。
【発明の詳細な説明】
【技術分野】
【０００１】
本発明は、医療分野において、コンピュータ上の電子ファイルなどの電子データを固有の識別情報付き入力ペンを用いて入力し管理する医療情報管理システム及び医療情報管理方法に関する。さらに詳細には、入力ペンのユーザである医師等に、個別の識別情報を有する入力ペンを割り当てて、その入力ペンによる操作に対応して、入力情報を識別して記録することができる医療情報管理システム及び医療情報管理方法に関する。
【背景技術】
【０００２】
従来、コンピュータにおける電子情報のセキュリティの確保のために、コンピュータの操作に際しては、そのコンピュータ自体や、あるいはコンピュータネットワークに対して、適当なユーザ名やパスワードを用いて、ユーザにログインさせたりログアウトさせたりしてセッション毎にユーザを識別することが行われてきた。電子情報として医師が記入するカルテ等の医療情報を取り扱う医療情報システムにおいても例外ではない。
【０００３】
また、従来、アクセスを制限する電子ファイルの秘匿性を確保するための読取り可能パスワードや、改ざんを防止するための書き込み可能パスワードを設定して、当該電子ファイルの内容確認や、電子ファイルの更新を特定のユーザに制限することが行われている。
【０００４】
さらに、複数のユーザがアクセスする電子ファイルの記載内容について、特定の記載内容がどのユーザが記載したものであるかを、上記のユーザ名等によって識別可能にして、その電子ファイルの個々の記載についての責任を明確にすることも知られている。
【０００５】
加えて、複数のコンピュータ端末が接続されたネットワークにおいて、あるコンピュータ端末で特定の電子ファイルについてあるユーザが作業している際に（あるいは作業後に）、当該ファイルを他のコンピュータ端末から同じユーザがアクセスする場合には、そのファイルを他のコンピュータ端末からファイル名などをキーにしてユーザが呼び出して作業することも行われている。
【発明の開示】
【発明が解決しようとする課題】
【０００６】
しかしながら、上述した従来のコンピュータシステムへの情報の入力方法には、以下に示すような問題点があった。
すなわち、第一に、パスワードによってユーザがコンピュータへアクセスする場合、全般に、パスワードの信頼性を確保するために、一定期間ごとにパスワードを変更するなどの方法が取られる。そのため、ユーザは、しばしば覚えにくいパスワードを暗記しておかなければならず、また、コンピュータを立ち上げる毎にパスワードの入力を行わなければならないという煩わしさがあった。
【０００７】
また、医療情報システムでは、一つのコンピュータを複数の医師であるユーザが共同利用するような場合が考えられるが、従来のコンピュータシステムでは、情報を入力するユーザが変わってもその交代をコンピュータが検知することができない。つまり、従来のセッション毎にログインやログアウトなどによって医師であるユーザを管理するシステムや方法においては、セッションにログインしたユーザと、そのセッション中に、入力するユーザとが異なっていても、そのユーザの交代をシステムとして検知できなかった。まして、どの入力情報を誰が入力したかを、後で知ることができないという不都合があった。
【０００８】
また、従来のパスワードによるアクセスや更新の制限はファイル単位で行われている。この場合、特定のファイルに複数のユーザ（医師）がアクセスする場合には、複数のユーザに読取り可能パスワードや書き込み可能パスワードなどを知らせる必要があり、そのファイル自体のセキュリティを十分に確保できないという問題があった。
【０００９】
さらに、医師のカルテなどの電子ファイルでは、複数のユーザ（医師）がアクセスして入力する電子ファイルの各記載内容をユーザ（医師）名で識別する必要が生じる場合がある。このような場合、当該電子ファイルにログインしているユーザ（医師）が、特定の電子ファイルの記載を行ったユーザ（医師）名をパスワードも含めて問い合わせることも可能であるが、この方法ではパスワード管理の問題が残ってしまう。また、仮にパスワードが適切に管理されているとしても、複数のユーザが特定のファイルにアクセスする状況では、ユーザの切換のたびにコンピュータへのログアウトとログインを繰り返さなければならないという煩わしさがある。
【００１０】
本発明の目的は、上記従来技術の持つ問題点を解決し、複数のユーザ（医師）の中の一人ひとりが個別に入力した情報（カルテ等）に識別情報を付して記憶しておき、必要なときにユーザ（医師）の識別情報と一緒に特定のユーザが入力した情報を得ることができるようにした医療情報管理システムとその方法を提供することにある。
【課題を解決するための手段】
【００１１】
上記課題を解決し、本発明の目的を達成するための、本発明の医療情報管理システムは、固有の識別情報が割り当てられている入力ペンと、入力ペンの識別情報を電子データとして取得するとともに、入力ペンの操作による入力を受け付ける入力受付手段と、入力ペンの識別情報と入力ペンのユーザ識別情報を対応させて記憶する関係情報記憶手段と、入力受付手段が取得した、入力ペンの識別情報が関係情報記憶手段に記憶されている入力ペンのユーザ識別情報と対応するものであるかどうかを確認する入力ペンの識別情報確認手段と、入力受付手段が受け付ける入力ペンによる入力情報を入力ペンの識別情報と関連付けて記録する入力情報記憶手段と、入力ペンの入力操作によって入力された入力情報を、識別情報確認手段による結果に基づいて、関係情報記憶手段に記憶された入力ペンの識別情報に対応したユーザ識別情報を伴って表示する表示手段と、を備えている。
【００１２】
ここで、入力受付手段は、入力ペンの識別情報を個々の入力ペンの操作ごとに電子データとして取得することができるので、入力ペンが異なれば、異なる識別情報を受付けることになる。そして、入力ペンによる操作、つまり入力ペンを用いた情報の入力操作を入力ペンの識別情報と共に受け付けることが可能である。
【００１３】
また、入力受付手段の一例としては、電磁誘導式タブレット（ディジタイザ）が代表的なものである。また、入力ペンは、この電磁誘導タブレットへの入力に用いられる識別情報が割り当てられた入力ペンであり、例えばユーザである医師の一人ひとりに個別に用意されるものである。
【００１４】
そして、入力ペンの所有者である医師は、その氏名や組織内での通称、組織内でのＩＤなど、所有者を識別するための適当な識別情報により、その所有する入力ペンの識別情報と関係付けされている。そして、入力ペンの所有者と入力ペンの識別情報は、互いに関係付けられて、関係情報記憶手段に記憶される。ここで、関係情報記憶手段は、コンピュータのハードディスクやその中のファイル等の、周知の記憶装置で構成されるものである。
【００１５】
また、上述の識別情報確認手段は、例えばコンピュータが備える演算手段の一部を構成している。この識別情報確認手段は、コンピュータへの入力に用いられる入力ペンの識別情報が、関係情報記憶手段に入力ペンの所有者の識別情報と関係付けられて登録されているものであるかどうかを判断する手段である。また、入力情報記憶手段は、入力受付手段によって受け付けられた入力ペンの入力操作と入力情報を記録する適当な記録装置であり、コンピュータのハードディスク装置やその中の適当なファイルがそれに当たる。
【００１６】
入力情報記憶手段には、例えばユーザである医師等が、電磁誘導タブレット上に描く入力ペンの軌跡によってあらわされる線画が記録される。この線画等の入力データには、使用された入力ペンの識別情報が関連付けられて記録される。入力ペンの識別方法と当該入力ペンで入力された入力情報との関係付けを行う手法としては、例えば、入力ペンによる入力操作ごとにオペレーション番号を生成し、このオペレーション番号を入力データと共に入力情報記憶手段に記憶する方法がとられる。つまり、入力操作に対応する当該オペレーション番号ごとに、その操作を行った入力ペンの識別情報を記憶するようにする。
【００１７】
なお、入力受付手段としての電磁誘導タブレットは、パッド状の形状で交流磁界を発生させ、入力ペンはその交流磁界によって誘導電流を発生させる回路を内蔵している。この回路では、共振等の作用で電流が流れることによりされる誘導電流が、さらに交流磁界を発生させて、電磁誘導タブレットが入力ペンの位置を検出するようになっている。
【００１８】
また、本発明の医療情報管理システムでは、入力受付手段が表示手段（装置）としての機能も兼用できるようになっている。つまり、ディスプレイと一体化された入力装置であり、液晶ディスプレイ一体型タブレットなどである。そして、この表示装置で表示される情報は、入力ペンの違いあるいは入力ペンの所有者の違いによって、異なる色あるいは異なる表示枠で表示されるようにすることも考えられる。
【００１９】
また、入力ペンで入力されたサインを入力受付手段（タブレット）が受け付けて、そのサインを、コンピュータの演算手段が関係情報記憶手段に登録されている当該所有者のサインの筆跡と同一のものであるかどうかを判定するようにする。あるいは、入力受付手段が入力ペンの識別情報を取得して、その識別情報が関係情報記憶手段に登録されている入力ペンの識別情報と同じものであるかどうかどうかを判定するようにする。このように、入力ペンの識別情報と当該入力ペンの所有者のサインの両方の一致性を考えることにより、より確実に所有者の一致性を判定することが可能になる。
【００２０】
識別情報付き入力ペンは、所有者（ここでは医師）毎に割り当てられ、各医師が自分用の識別情報付き入力ペンを保有することになる。このため、入力ペンの持つ識別情報によってその所有者を識別することが可能となる。また、入力ペンの識別情報による所有者の判定と、この識別情報付き入力ペンによって書かれた署名による所有者の判定（署名認証ソフトウェアを利用）とを組みわせることも可能となり、より確実に所有者を判定できるようにすることができる。
【００２１】
また本発明の医療情報管理方法は、複数の入力ペンのそれぞれに識別情報を割り当てるステップと、入力ペンの識別情報を電子データとして取得するとともに、入力ペンの操作による入力を受け付けるステップと、入力ペンの識別情報と入力ペンのユーザ識別情報との関係を関連付けて記憶するステップと、入力ペンの操作で受け付けた入力ペンの識別情報が入力ペンのユーザ識別情報と対応するものであるかどうかを確認する識別情報の確認ステップと、入力ペンの入力操作で受け付けた入力ペンによる入力情報を入力ペンの識別情報と関連付けて記録するステップと、入力ペンの入力操作によって入力された入力情報を、入力ペンの操作で受け付けた入力ペンの識別情報が入力ペンのユーザ識別情報と対応するものであると確認された際には、入力ペンの識別情報に対応したユーザ識別情報を伴って表示する表示ステップと、を含んでいる。
【００２２】
本発明の医療情報管理システム及び管理方法によれば、入力ペンの所有者であるユーザ（例えば、特定の医師）は同じ識別情報を持つ入力ペンを使用するため、そのユーザ（入力ペンの所有者）が、特定のコンピュータで何らかの作業を行って、その後、作業を中断したような場合でも、仕事の継続性を維持することができる。
例えば、一人の医師（ユーザ）が、いったん中断した仕事を他のコンピュータで継続するような場合が考えられるが、そのような場合でも、同じ入力ペンを用いるならば、その作業の再開を容易に行うことが可能である。
【００２３】
また、本発明の医療情報管理システム及び管理方法によれば、入力ペンの所有者（ユーザである医師）がコンピュータの違いを意識することなく、また、新たにログイン・ログアウト等の作業をすることなく、同一の作業内容を再開することができる。したがって、ユーザに感じさせるパスワード等の管理の煩わしさが、低減されるとともに、十分なセキュリティの確保が可能となる。
【００２４】
本発明の医療情報管理システムでは、入力情報記憶手段に格納される情報は、医師等が作成する医療情報（例えば、電子カルテ）である。これらの医療情報は、一般にプライバシーを確保する必要があることや、医療判断等の専門的判断を伴うことなどのために、情報についての高いセキュリティが要求される。また、これらの情報を作成した作成者の記載責任を明確にする必要がある。
【００２５】
さらに、特定の患者が複数の医師に診察を受ける場合があるために、患者ごとのカルテに当たる電子ファイルには複数の医師の判断が記載されることがある。このように、カルテに記載する記入者が複数ある場合には、それぞれの記載責任が明確になるようにすることが重要である。
【００２６】
また、本発明の医療情報管理システム及び管理方法では、従来の紙面に記載されていたカルテで筆跡やサインによって記載責任を明示していたものと同様の管理が、電子化されたカルテについて可能となる。また、本発明の医療情報管理システム及び方法では、処方箋などを電子化して扱う、医療オーダリングシステムについても、電子化されたカルテと同様な作用効果が期待できる。
【発明の効果】
【００２７】
本発明の医療情報管理システム及び管理方法によれば、入力ペンによってその所有者の識別が容易になり、入力されたデータが実際にどのユーザ（医師）が記載したものであるかが確実に、しかも容易に識別できる。また、入力ペンに識別情報が付されているので、その入力ペンの操作によって入力される入力情報を、当該入力ペン毎に分類して記憶したり、入力ペンの識別情報毎に入力情報を付帯情報に従って加工したりすることができる。
【００２８】
さらに、入力ペンの識別情報ごとに表示を変更して、その入力ペンによる入力情報が提供される観察者に、入力情報を入力した者を明示することも可能となる。また、入力情報記憶手段に入力ペンによる入力操作ごとに、時刻等の操作を識別する情報を付加することもできる。このように、入力操作ごとに時刻等を付加しておくと、後の操作によって入力される入力情報と対応付けることが可能となる。
【００２９】
さらに加えて、入力ペンが、例えば複数のコンピュータ間で用いられるような場合でも、関係情報記憶手段により入力ペンとその所有者が関係付けられて登録されているので、入力ペンとその所有者の一元管理が可能となる。また、所有者がコンピュータの違いを意識することなく同一の作業内容を再開することができる。これにより、ユーザの感じる煩わしさが低減され、かつ十分なセキュリティの確保が可能となる。
【発明を実施するための最良の形態】
【００３０】
以下、図面を用いて本発明の実施の形態例（以下、「本例」ということもある）について説明する。図１は、本発明の医療情報管理システムの一実施の形態例を示すブロック構成図である。
【００３１】
図１に示すように、本発明の医療情報管理システムを構成する装置の一部である入力受付手段としては、電磁誘導式タブレット２が用いられる。そして、この電磁誘導式タブレット２に組み合わせて使用される、入力操作を行うための入力ペン１が用いられる。なお、入力ペン１には固有の識別情報（ＩＤ）が割り当てられている。この識別情報付き入力ペン１は、入力ペン１が持つ識別情報を電子データとして格納する識別情報格納体１０を備えている。また、この識別情報付き入力ペン１は、電磁誘導式タブレット２（以下、「タブレット２」という）に対する位置座標を電磁誘導によって検出するものである。
【００３２】
タブレット２は、識別情報付き入力ペン１がタブレット２上で軌跡３を描くときに、入力ペン１の位置を各時刻で受け付けて、その軌跡３をデジタルデータとして出力する。軌跡３のデジタルデータは、演算手段２１に送られ、この演算手段２１内の情報処理手段２２によって受け取られる。そして、情報処理手段２２で受理されたデジタルデータに基づいて、適当なＧＵＩ等の元で表示装置７に軌跡３１として表示される。タブレット２や演算手段２１、表示装置７等の装置は、バス８により接続されている。なお演算手段２１は、情報処理手段２２の他に識別情報確認手段５も備えている。
【００３３】
ここで、本例のような固有の識別情報を持つ入力ペン１は、通常、医療情報管理システムを利用するユーザである医師一人に一本が割り当てられる。つまり、異なる識別情報によってそれぞれのユーザ（医師）が持つ入力ペン１が識別可能とされている。仮に、入力ペン１を複数使い分ける所有者がいる場合であっても、識別情報は入力ペン１に固有のものとされる。この識別情報付き入力ペン１の識別情報とこの入力ペン１の所有者の関係は関係情報記憶手段４に事前に登録されている。
【００３４】
すなわち、関係情報記憶手段４には、図２に示すように、入力ペン１の識別情報４１に対応する入力ペン１の所有者を識別する情報４２（例えば、氏名や通称、各個人を特定するＩＤ番号等）がテーブルとして登録されている。これにより、入力ペン１の識別情報からその入力ペン１の所有者（特定の医師）を特定したり、所有者の識別情報（名前等）から入力ペン１を特定することが可能になる。
【００３５】
また、上述したように、演算手段２１が持つ識別情報確認手段５は、演算手段２１が備える機能の一つであると考えることができる。タブレット２は、識別情報付き入力ペン１の識別情報を少なくとも一回受け付ける。そして、この識別情報をデジタルデータとして演算手段２１に送る。演算手段２１は、タブレット２からこの受け取った入力ペン１の識別情報が関係情報記憶手段４に登録されている入力ペン１の識別情報であるかどうかを判断する。
【００３６】
入力情報記憶手段６は、タブレット２が受け付けた入力ペン１による入力操作と入力された線画等（医師が書くカルテなど）の情報を、入力ペン１の識別情報と関連付けて記録している。ここで、入力操作と入力情報を入力ペン１の識別情報と関連付ける代わりに、入力操作と入力情報を入力ペン１の所有者と関連付けて入力情報記憶手段６に記憶するようにしてもよい。また、情報の入力操作ごとに操作番号を付しておき、その操作番号と識別情報付き入力ペン１との関連を、他の図示しない記憶手段に記録するようにしても関連付けは可能となる。
【００３７】
図３は、図１に示した本例の医療情報管理システムの動作を説明するためのフローチャートである。
図３に示すように、まず、識別情報付き入力ペン１とその所有者の関係を示す関係情報（図２参照）が、関係情報記憶手段４に登録される（ステップＳ１）。このステップＳ１による登録は、本例の医療情報管理システムにおいて使用可能な識別情報付き入力ペン１とそれを所有する権限を有する医師（ユーザ）が登録されたことを意味する。
【００３８】
次に、タブレット２に入力ペン１を接触させる（ペンダウン）と、タブレット２は、ペンダウンのタイミングで入力ペン１が持つ識別情報を受け付ける。そして、タブレット２は、この受け取った識別情報を演算手段２１に送り、演算手段２１は入力ペン１の識別情報を取得する（ステップＳ２）。
演算手段２１は、その識別情報確認手段５で、取得した入力ペン１の識別情報が関係情報記憶手段４に登録されている入力ペン１の識別情報であるかどうかを判断する（ステップＳ３）。そして、その入力ペン１の識別情報が登録されている識別情報と同じものである場合に、入力ペン１によるその後の入力操作を受け付ける（ステップＳ４）。
【００３９】
入力ペン１の入力操作によって入力される情報は、入力情報として入力情報記憶手段６に記録されるが、その際、その入力情報がどの入力ペン１によって入力されたものであるか（あるいは誰が入力したものであるか）が分かるように、入力ペン１の識別情報を入力された入力情報と関連付けて記録するようにする（ステップＳ６）。ここで、既に関連情報記憶手段４に入力ペン１の識別情報とその所有者情報が関連付けて記憶されている（ステップＳ１参照）ので、これを利用して入力された情報とその入力を行った所有者を関連づけるようにすることも可能である。
【００４０】
なお、入力ペン１の識別情報が関係情報記憶手段４に登録されていない場合には、例えば、入力を拒否したり（図４（ａ）のステップ３１）、関係情報の登録を促したりする（図４（ｂ）のステップ３２）。
【００４１】
図５は、本例の医療情報管理システムにおいて、入力された情報（カルテ）の表示例７１を示した図である。この入力情報は、識別情報付き入力ペン１で入力された線画３２であるが、その線画３２には、入力ペン１の識別情報を通して、その入力ペン１の所有者である医師「Doctor  A」が入力者７２として時刻情報と共に明示されるようになっている。
【００４２】
次に、図６のフローチャートに基づいて、図３で説明したステップＳ４を更に具体化した本発明の他の実施形態例の動作を説明する。この他の実施形態例においても、図１に示したシステム構成がそのまま用いられる。
【００４３】
図６に示すように、ステップＳ１〜Ｓ３、ステップＳ５は図３で説明した実施の形態例と同じステップなので、同一符号を付して説明は省略する。図３のステップＳ４に対応する部分が図６のステップＳ４１〜ステップＳ４５までである。以下、ステップＳ４１〜ステップＳ４５を中心に本発明の第２の実施形態例を説明する。
【００４４】
ステップＳ３で、演算手段２１が、入力ペン１の識別情報が既に登録されている識別情報（図２の４１参照）と一致していると判定した場合に（ステップＳ３のＹＥＳ）、タブレット２が入力ペン１の識別情報を受付ける（ステップＳ４１）。そして、この入力ペン１の識別情報が、タブレット２から演算手段２１の情報処理手段２２に渡される（ステップＳ４２）。
【００４５】
ここで、演算手段２１の情報処理手段２２へ受け渡された入力ペン１の識別情報は、既に関係情報記憶手段６に登録されている入力ペン１の識別情報と一致しているので、その後は、タブレット２が入力ペン１による入力操作を拒否することはない。すなわち、タブレット２が識別情報を持つ入力ペン１からの入力を受け付け（ステップＳ４３）、さらに演算手段２１がその入力ペン１で入力された入力情報を受け取る（ステップＳ４４）。
【００４６】
続いて、演算手段２１が受け取った入力情報に、付帯情報として入力ペン１の識別情報が付加され、この入力ペン１によって入力される入力情報が、情報処理手段２２によって選択される（ステップＳ４５）。
【００４７】
その後、入力ペン１からの入力情報が、当該入力ペン１の識別情報とともに、入力情報記憶手段６に記憶される（ステップＳ５）。これにより、入力ペン１の識別情報と当該入力ペン１によって入力される入力情報とは、明示的な関連性をもって入力情報記録手段に記憶されることになる。
【００４８】
図６に示した例は、入力ペン１からの入力情報の付帯情報として、入力ペン１の識別情報を関連づけて記録する例であるが、この場合、例えば入力ペン１の識別情報ごとにファイルを変更するなど記憶先を変更することも可能である。また、入力ペン１の識別情報ごとに、図１の表示装置７に表示される表示内容を変更するようにしてもよい。つまり、入力ペン１の識別情報が異なる場合、その識別情報に対応させて、表示する色を変化させたり、入力情報を表示する表示枠を変化させたりすることが可能である。
【００４９】
また、図７の表示例に示すように、入力ペン１の所有者を記載内容に対応させた形で表示することもできる。例えば、入力者Doctor Aを示す文字列（マーク７２）とDoctor Aによる線画３２に続き、入力者Doctor Bを示す文字列（マーク７４）とDoctor Ｂによる線画３３が記載される。このように、本実施形態例の医療情報管理システムでは、誰が何を記載したのかを明確にすること、逆に言えば、どの記載が誰によるものであるかを明示することができる。
【００５０】
なお、複数の入力ペン１を使用可能にするために、入力途中においてタブレット２の入力に用いられる入力ペン１が変更された場合には、新たに変更された入力ペン１の識別情報を取得するステップＳ２が必要になる。そして、タブレット２が入力ペン１の識別情報を受け取るステップＳ４１に戻るようにする必要がある。このような場合は、図６のステップＳ２〜ステップＳ４５を繰り返すループ処理になる。
【００５１】
次に、本発明の第３の実施の形態例として、入力ペン１による操作イベントの発生時刻を付帯情報として格納する例について説明する。この実施の形態例は、図１に記載のシステム構成に、さらに、入力操作情報記憶手段（不図示）を加えたシステム構成となる。
【００５２】
図８は、本発明の実施の形態例における操作イベントを記録した入力操作情報記録手段内部のテーブル（リスト）である。
図８に示すように、入力操作情報記憶手段には、タブレット２によって受け付けられた入力ペン１の入力操作が、適当な単位の操作イベント４５として記録される。この入力操作情報記憶手段には、入力操作が行われた時刻４３と入力ペン１の識別情報４４が記録される。また、操作イベント４５には、厳密に管理される必要のある情報へのアクセスのログが記録される。さらに、必要に応じて、その入力が行われたコンピュータ端末の番号４６、対象のファイル名（不図示）等を記録するようにしてもよい。
【００５３】
次に、図９、図１０に基づいて、本発明の応用例として、ネットワークを用いて分散された環境下における医療情報管理システムについて説明する。
【００５４】
図９は、第１のコンピュータとしてのサーバコンピュータ１３と、第２のコンピュータとしての端末１１（端末Ａ）と、第３のコンピュータである端末１２（端末Ｂ）が、例えばＬＡＮ（Local Area Network）などのネットワーク９０で接続されたコンピュータシステムを示している。
サーバコンピュータ１３には、関係情報記憶手段４と入力情報記憶手段６が設けられている。また、コンピュータ端末１１、１２には、入力受付手段であるタブレット２と、表示装置７、演算手段２１が設けられている。演算手段２１は、図１のシステム構成と同様に、識別情報確認手段５と情報処理手段２２を有している。ここで、入力情報記憶手段６と識別情報確認手段５は、ネットワークに接続されたいずれかのコンピュータにあればよい。また、ここでは図示していないが、図１のシステム構成と同様に、情報を入力するための識別情報機能付き入力ペン１が用いられることはいうまでもない。
【００５５】
図９に示すようなシステム構成であっても、図１のシステム構成と同じ動作が実現可能である。特に、第３のコンピュータである端末１２を用いる場合には、関係情報がサーバ１３に一元管理されているために保守が容易となる。
【００５６】
図９に示したシステム構成の医療情報管理システムについて、特に一つのコンピュータにおける作業が中断し、他のコンピュータでその作業が再開される場合について説明する。
つまり、識別情報付き入力ペン１の所有者である医師が、コンピュータ端末１１（端末Ａ）で作業している際に、何らかの理由で作業を中止し、その作業を別の端末（端末Ｂ）で再開する場合を想定する。
【００５７】
図１０は、その具体的な手順を示すフローチャートである。図１０に示される手順の中で、ステップＳ２からステップＳ５は、図３で示すステップと同じであり、端末Ａで実行されるステップである。ここでは、識別情報の入力ペン１を用いて入力が行われるものとし、この識別情報付きの入力ペン１を特定入力ペン１とする。
そして、図３のステップＳ５に相当する図１０のステップＳ５１の後に、同じ特定入力ペン１を持った医師（システムのユーザ）が別の端末である端末Ｂに移動して作業を再開する手順をステップＳ５２〜Ｓ５４に示している。
【００５８】
ここでは、端末Ａで作業している医師（ユーザ）がその作業を中断して端末Ｂで作業を再開しようとするときに、端末Ａで作業中に入力した入力情報を特定入力ペン関連入力情報と呼ぶことにする。この入力情報は端末Ｂにおける作業の再開に必要であるために、端末Ｂに呼び出す必要がある（ステップＳ５４）。しかし、これを呼び出すためには、端末Ｂにおいても、特定入力ペン１の識別情報を取得するステップ（図３のステップＳ２と同じ）と、識別情報の確認ステップ（図３のステップＳ３と同じ）を実行する必要がある。
【００５９】
したがって、図１０に示されるように、端末Ｂにおいて、上述した図３のステップＳ２、Ｓ３に相当するステップＳ５２とＳ５３が付加されている。つまり、端末Ｂにおいて、端末Ａで用いていたものと同じ特定入力ペン１の識別情報が確認されると、端末Ａにおける作業のためのウインドウが閉じて、同じウインドウが端末Ｂにおいて開くようになる。すると、ユーザ（医師）は、別の端末Ｂにおいてもシームレスに作業を続けることができる。
なお、端末Ａと端末Ｂにおいて、同時に同じ電子ファイルを開くことも可能であるが、この場合には、そのファイルをクローズせずにオープンしたままとされる。
【００６０】
以下、上述した実施形態例を、電子カルテや病院情報システムのインタフェースとして用いる場合の具体例を説明する。特に識別情報付き入力ペン１の識別情報を用いて入力者である医師の識別を行って作業の再開を可能とする実施例について説明する。
【００６１】
［実施例１：セッション中の割り込みの禁止を行う例］
図１１は、電子カルテシステムを、電磁誘導式タブレットと識別情報付き入力ペンで構成される入力装置を用いて実現したシステムの動作を説明するためのフローチャートである。医師である入力者を常時正しく識別し、記録するために、入力ペン１の識別情報により、入力者を識別するようにしている。
【００６２】
ここでは、コンピュータへの入力は、入力ペン１を用いた入力に限定し、医師一人ひとりが専用の識別情報付き入力ペンを持ち歩いて利用することとしている。これにより、ある医師（ユーザ）の入力結果は、その入力ペン１の識別情報で入力した医師が必ず特定されることになる。本実施例では、明示的なログインとログアウトのステップを設け、そのログインとログアウトを行った入力者である医師を入力ペン１の識別情報で特定する。
【００６３】
つまり、入力ペン１の識別情報と、ログイン時にユーザである医師が記入する署名により、入力ペン１を使って入力する医師を認証しておく。そして、ログインからログアウトまでのセッション中は、最初に認証を行った医師に対応した識別情報付き入力ペン１を持つユーザの操作のみを許し、他の識別情報付き入力ペン１からの入力は一切禁止するようにする。これにより、特定の入力ペン１での作業途中での、他の入力ペンによる割り込みや改ざんを防ぐことが可能となる。
【００６４】
上述の動作を図１１に示すフローチャートに基づいて詳細に説明する。図１１に示すように、まず、ログインが行われたかどうかを判断し（ステップＳ１０１）、ここでログインが行われたと判断されると、ログインされた時の入力ペン１の識別情報を記録する（ステップＳ１０２）。そして、この入力ペン１がタブレット２に接触するイベントであるペンダウンを待ち受ける。ペンダウンがされると（ステップＳ１０３）、ログイン時と同一の入力ペン１の識別情報であるどうかを判定する（ステップＳ１０４）。
【００６５】
このステップＳ１０４で、入力ペン１がログイン時の入力ペン１と異なっていると判定された場合には以降の入力が拒否される（ステップＳ１０７）。ステップＳ１０４で、ログイン時と同一の入力ペンによる入力であると判定された場合には、その入力ペン１による入力受け付けと記録が行われる（ステップＳ１０５）。そして、コンピュータ端末からのログアウトの動作がされるまで、あるいは異なる入力ペンの識別情報が検出されるまで継続してペンダウンによる入力操作が受け付けられる。なお、いずれのタイミングであっても、セッション中にログインされたペン以外のペンで入力する場合には、入力が拒否される。
【００６６】
最後に、ログアウト操作が行われたか否かが判断され（ステップＳ１０６）、ログアウト操作が無い場合には、引き続きステップＳ１０３に戻り、次のペンダウンを待つ。ステップＳ１０６でログアウト操作が行われたと判定されたときは、スタートに戻り次のログオンを待つ。
【００６７】
なお、ここで、ログインしたときの識別情報付き入力ペン１の識別情報と、この入力ペン１からの入力操作による入力情報を関連付けて記憶することにより、入力情報がどの医師（ユーザ）によるものであるかを容易に識別することができる。
【００６８】
［実施例２：複数利用者による連続（交互）入力を行う例］
次に、明示的にログインとログアウトがある場合において、最初にログインしたユーザ（医師）の了解の下で、別のユーザ（医師）が最初にログインしたユーザの操作を継続する必要がある場合について、図１２のフローチャートに基づいて説明する。
【００６９】
このような場合、識別情報付き入力ペン１（個人専用ペン）での入力を利用することにより、どの部分を最初にログインしたユーザ（医師）が作成し、どの部分を第２のユーザ（医師）が付け加えたのかの記録を残すことが可能となる。また、各ユーザ（医師）は自分のペンで必要な操作を行うだけであり、通常のシステムログインで求められるユーザ名やパスワードの入力は不要である。また、それぞれのユーザの入力結果に対して、入力者の名前や入力した時刻等の情報を、システム側が自動的に付与するようにしている。
【００７０】
以下、図１２のフローチャートに基づいて、詳細に説明するが、ステップＳ１０１〜Ｓ１０３、及びステップＳ１０６は、図１１のフローチャートと同じ手順であるので説明は省略する。
図１２に示すように、ステップＳ１０３でペンダウンが行われたと判定されると、この段階で、入力ペン１の識別情報をタブレットである入力受付手段であるタブレットが取得する（ステップＳ１０８）。そして、入力ペン１による入力受け付けを行い（ステップＳ１０９）、入力ペン１による入力情報を入力ペン１の識別情報とともに、入力情報記憶手段６が記録する（ステップＳ１１０）。このプロセスは、ログアウトの操作がされるまで継続してペンダウンによる入力操作を受け付ける。なお、入力情報記憶手段６では、セッション中には使用された入力ペン１が持つ識別情報が、入力操作によって入力された入力情報に付帯されて記憶されるようになっている。この例でも、図７に示すように、入力ペン１を用いて情報入力した入力者（医師）が明示された電子ファイルが作成される。
【００７１】
［実施例３ 複数端末機環境での操作を行う例］
次に、図１３のフローチャートに基づいて、識別機能付き入力ペン１を用いて、ある一つの端末機から他の端末機に移動して操作を行う場合の例を説明する。
【００７２】
この例では、入力ペン１がタブレット２に触れて、入力ペン１が持っている識別情報が取得されると、それに応じてほぼ瞬時にその入力ペン１の所有者の環境が引き継がれ、前の端末で行っていた作業を継続して行うことができるようになる。ユーザである医師は、端末の違いを意識する必要がない。つまり、ユーザ（医師）は、直前にログインして使用していた端末と同様に、同じ入力ペン１を新しい端末のタブレットにタッチダウンするだけで、新しい端末を前の端末とおなじ感覚で利用することができる。
【００７３】
以下、図１３のフローチャートに基づいて、詳細を説明する。ここでは、あるユーザ（医師）が自分に割り当てられている入力ペン１を用いて、端末Ａでしていた作業を中断して、その端末Ａを離れる場合を想定している。
つまり、端末Ａでの作業を中断した（ステップＳ２０１）ユーザ（医師）は、別の端末Ｂにおいて、ログインを行い（ステップＳ２０２）、さらにペンダウンを行う（ステップＳ２０３）。ステップＳ２０３のペンダウンで、この入力ペン１の識別情報がタブレット２で取得され、コンピュータの演算手段２１の識別情報確認手段５で認識される（ステップＳ２０４）。そして、ペンダウンされた入力ペン１が、端末Ａで中断していたユーザの入力ペン１と同じものであるかどうかを判定する（ステップＳ２０５）。
【００７４】
続いて、ステップＳ２０５の判断の結果、タッチダウンした入力ペン１の識別情報が、端末Ａで中断していたユーザの入力ペン１の識別情報と同じであると判定された場合には、端末Ａでの作業環境あるいは作業していたウインドウが閉じられ、同じ作業環境あるいはウインドウが端末Ｂにおいて開かれる。これにより、端末Ａでの作業を中断したユーザ（医師）は、端末Ｂで継続して作業を再開することができる（ステップＳ２０６）。また、ステップＳ２０５で、端末Ｂでペンダウンした入力ペン１の識別情報が、端末Ａで作業を中断していた入力ペン１の識別情報とは異なると判定された場合は、新たな入力ペン１によるログインを行う必要がある（ステップＳ２０７）。
【００７５】
なお、ステップＳ２０２におけるログインは、必ずしも端末Ａでの作業を中断したユーザによるログインである必要はない。すなわち、図９のサーバ１３には、特定の入力ペン１の作業がどの端末において行われているかに関する情報が集められている。そして、別の端末において、登録済みではあるがその端末においては作業をしていなかった新たな入力ペン１の識別情報が検出されると、その入力ペンの識別情報がサーバ１３に送られる。
【００７６】
すると、サーバ１３は、その入力ペン１の識別情報により、当該入力ペンを用いて作業が行なわれていた端末の状態または作業環境を閉じて、新たに作業を開始する別の端末に移す操作を指示するようにする。
【００７７】
なお、本発明の医療情報管理システム及びその管理方法においては、電磁誘導タブレットと識別情報付き入力ペンを用いている。そして、この入力ペンは所有者毎に割り当てられて、各自が自分のペンを保有しているので、入力ペンの識別情報により、その入力ペンの所有者を識別することが可能である。
【００７８】
さらに、本発明の医療情報管理システムやその管理方法では、例えばカルテなどに入力する医師（入力者）が複数いる場合であっても、その入力した内容が入力ペンの識別情報によって区別することができるので、その記載責任が明確になる。
これにより、従来の紙面に記載されていたカルテで筆跡やサインによって記載責任を明示していたものと同様の管理が、電子化されたカルテ等について可能となる。
【００７９】
以上、本発明のいくつかの実施の形態例について説明したが、本発明は上述した実施の形態例に限定されるものではなく、特許請求の範囲に記載した本発明の要旨を逸脱しない限りにおいて、種々の応用例、変形例を含むものであることは言うまでもない。
【図面の簡単な説明】
【００８０】
【図１】本発明の一実施の形態に係る医療情報管理システムを実現するためのブロック構成図である。
【図２】本発明の関係情報記憶手段に記憶される、入力ペンの識別情報と所有者の関連付けを表わすリストである。
【図３】本発明の第一の実施の形態に係る医療情報管理システムの動作を説明するためのフローチャートである。
【図４】図３に示すフローチャートの（Ａ）に続くフローチャートである。
【図５】医師「Doctor A」の名前と入力日時が付帯情報として記入されたカルテの入力例である。
【図６】本発明の第２の実施の形態に係る医療情報システムの動作を説明するためのフローチャートである。
【図７】医師「Doctor A」と医師「Doctor B」の名前及び入力日時が付帯情報として記入したカルテの入力例である。
【図８】本発明の第３の実施の形態例に係る、入力情報記憶手段に記憶される操作イベントの内部を示すリストである。
【図９】本発明の実施の形態の応用例として示した、複数のコンピュータがネットワークを介して接続されたシステムで構成される医療情報管理システムのブロック構成図である。
【図１０】図９に示す医療情報管理システムの動作を説明するためのフローチャートである。
【図１１】同じく、図９に示す医療情報管理システムの動作を説明するためのフローチャートである。
【図１２】同じく、図９に示す医療情報管理システムの動作を説明するためのフローチャートである。
【図１３】同じく、図９に示す医療情報管理システムの動作を説明するためのフローチャートである。
【符号の説明】
【００８１】
１・・・識別情報付き入力ペン、２・・・入力受付手段（電磁誘導タブレット）、３・・・軌跡、４・・・関係情報記憶手段、５・・・識別情報確認手段、６・・・入力情報記憶手段、７・・・表示手段（装置）、８・・・バス、９１・・・医療情報管理システム（コンピュータシステム）、１０・・・入力ペンの識別情報格納体、１１・・・端末Ａ、１２・・・端末Ｂ、１３・・・サーバコンピュータ、２１・・・演算手段、２２・・・情報処理手段、３１・・・軌跡の表示、３２、３３・・・線画、４１・・・識別情報付き入力ペンのリスト、４２・・・所有者識別情報、４３・・・時刻、４４・・・入力ペンの識別情報、４５・・・操作イベント、４６・・・コンピュータ端末の番号、７１、７３・・・カルテ表示例、７２、７４・・・ 入力者、９０・・・ネットワーク
【図１】
2008305428.tif 000003
【図２】
2008305428.tif 000004
【図３】
2008305428.tif 000005
【図４】
2008305428.tif 000006
【図５】
2008305428.tif 000007
【図６】
2008305428.tif 000008
【図７】
2008305428.tif 000009
【図８】
2008305428.tif 000010
【図９】
2008305428.tif 000011
【図１０】
2008305428.tif 000012
【図１１】
2008305428.tif 000013
【図１２】
2008305428.tif 000014
【図１３】
2008305428.tif 000015